Podtech/llm-jp-corpus-v4-ja_patent huggingface dataset:
(57)【要約】【課題】インストルメントパネルの断続部において物品の落下を防止できるとともに、組み立て工数の増加しないインストルメントパネル構造を提供する。【解決手段】断続部５の車両前方側のインストルメントパネル２１は少なくとも表皮７を有し、該表皮７の車両後方側端部１３が前記断続部５の車両後方側のインストルメントパネル１５に接続し、該表皮７が断続部５を塞いでいるインストルメントパネル構造にある。【選択図】　　　　図２
0003098913.tif 000002
【実用新案登録請求の範囲】
【請求項１】
メーターフードの車両前方側で断続した断続部を有するインストルメントパネルにおいて、断続部の車両前方側のインストルメントパネルは少なくとも表皮を有し、該表皮の車両後方側端部が前記断続部の車両後方側のインストルメントパネルに接続し、該表皮が断続部を塞いでいることを特徴とするインストルメントパネル構造。
【考案の詳細な説明】
【０００１】
【考案の属する技術分野】
この考案は自動車の特にハンドルが上下に可動し、ハンドルと連動してメーターフードも上下するものに使用するインストルメントパネルに関するものである。
【０００２】
【従来の技術】
現在のインストルメントパネル１は図１に示すように、車両後方側にメーターフード３を有し、図示しないハンドルの上下の動きに応じてメーターフード３も上下に動くようになっているタイプのものがある。ここで、インストルメントパネルが車両前方側からメーターフード迄連続している場合、インストルメントパネルは車両前方端で車両に固定されている上、インストルメントパネルの基材は通常硬質樹脂製なので、ハンドルが上下に動いたとしてもインストルメントパネルと連続しているメーターフードがそれにつれて動くのは難しくなっていた。
【０００３】
そこで、自動車用のハンドルが上下に可動であって、ハンドルと連動してメーターフードも上下に可動するような自動車内で使用されるインストルメントパネルは、メーターフードが上下に可動し易いようにインストルメントパネルが断続しており、メーターフードの車両前方側に断続部を有するような構造となってきた。
【０００４】
該断続部はインストルメントパネルのメーターフードの前方に設置されており、例えば物品をインストルメントパネル上に載置した場合、インストルメントパネルの傾斜の為に該断続部中に物品が落下し、インストルメントパネル内や車両の床に迄物品が落下するという問題があった。
【０００５】
このような問題を解決する為に、図４及び図５に示すように、該断続部４５の底部５７にフェルト５３を貼り付け溝５９とし、該溝５９の底部５７から物品が落下するのを防ぐようになった。
【０００６】
しかし、このような構成においては、インストルメントパネル４１の断続部４５を境に車両前方部のインストルメントパネル６１と車両後方部のインストルメントパネル５９とを別々に形成しておき、断続部４５においてフェルトをボルト５５にて車両前方部のインストルメントパネル６１に固定し、さらに接着剤で車両後方部のインストルメントパネル５９に貼り付けるというフェルトの組み付け工程が必要であった。
【０００７】
【考案が解決しようとする課題】
本考案はこのような実情に鑑みなされたものであって、インストルメントパネルの断続部において物品の落下を防止できるとともに、組み立て工数の増加しないインストルメントパネル構造を提供することにある。
【０００８】
【課題を解決する為の手段】
請求項１に記載の本考案は、メーターフードの車両前方側で断続した断続部を有するインストルメントパネルにおいて、断続部の車両前方側のインストルメントパネルは少なくとも表皮を有し、該表皮の車両後方側端部が前記断続部の車両後方側のインストルメントパネルに接続し、該表皮が断続部を塞いでいるインストルメントパネル構造にある。
【０００９】
請求項１に記載の考案によると、断続部の車両前方側のインストルメントパネルは少なくとも表皮を有し、該表皮の車両後方側端部が前記断続部の車両後方側のインストルメントパネルに接続し、該表皮が断続部を塞いでいるインストルメントパネル構造であることから、断続部の車両前方側のインストルメントパネルを使用することで部品点数を増やさずに、かつ工数を低減できると共に物品の落下を防止することができる。
【００１０】
【考案の実施の形態】
以下、本考案の実施の形態を説明する。
図１は本考案に係るインストルメントパネルの概略斜視図である。図２は図１のＡ−Ａ断面図であり、図３は図２のＢ部拡大図である。
【００１１】
本考案は、メーターフード３の車両前方側で断続した断続部５を有するインストルメントパネル１において、断続部５の車両前方側のインストルメントパネル２１は少なくとも表皮７を有し、該表皮７の車両後方側端部１３が前記断続部５の車両後方側のインストルメントパネル１５に接続し、該表皮７が断続部５を塞いでいるインストルメントパネル構造にある。
【００１２】
本考案の構造によると、車両後方側のインストルメントパネル１５の表皮７を延長させて断続部５を塞ぎ溝１７を形成することから、余分な部品を必要とせず、物品の落下を防止することができる。
【００１３】
又、本考案の具体的な製造方法は、まず、表皮７をスラッシュ成形等で作製し、さらに別に射出成形等で作製した基材１１とを発泡型にセットし、発泡樹脂液を注型して、車両前方側のインストルメントパネル２１を作製する。このとき、表皮７は前もって車両前方側のインストルメントパネル２１の基材１１よりも所定の量長く作製し車両前方側のインストルメントパネル２１の後端部においては、発泡型内で車両前方側のインストルメントパネル２１の基材１１と表皮７とを接着し、発泡樹脂が前記溝を形成する表皮側に洩れないようにする。そして、車両前方側のインストルメントパネル２１を作製した後、発泡樹脂９が付着していない表皮７をＵの字型に折り曲げ、別途作製された車両後方側のインストルメントパネル１５を組み付けながら車両後方側のインストルメントパネル１５に接着する。
【００１４】
【考案の効果】
上記のように、本考案は、断続部の車両前方側のインストルメントパネルは少なくとも表皮を有し、該表皮の車両後方側端部が前記断続部の車両後方側のインストルメントパネルに接続し、該表皮が断続部を塞いでいるインストルメントパネル構造であることから、断続部の車両前方側のインストルメントパネルを使用することで部品点数を増やさずに、かつ工数を低減できると共に物品の落下を防止することができるという効果がある。
【図面の簡単な説明】
【図１】本考案に係るインストルメントパネル構造の概略斜視図である。
【図２】図１のＡ−Ａ断面図である。
【図３】図２のＢ部拡大図である。
【図４】従来のインストルメントパネルにおける図１のＡ−Ａ断面図である。
【図５】図４のＣ部拡大図である。
【符号の説明】
１　インストルメントパネル
３　メーターフード
５　断続部
７　表皮
９　発泡樹脂
１１　基材
１３　表皮の車両後方側端部
１５　車両後方側のインストルメントパネル
１７　溝
２１　車両前方側のインストルメントパネル
【図１】
0003098913.tif 000003
【図２】
0003098913.tif 000004
【図３】
0003098913.tif 000005
【図４】
0003098913.tif 000006
【図５】
0003098913.tif 000007
(57)【要約】【課題】既存の石油缶の缶口に簡便に装着でき、抽出の際に液体の脱漏もなく容易に抽出し得る油類の液体抽出用管の提供。【解決手段】下部から上方に向けて漸次縮径となる先細状で、しかも一定方向に緩やかに屈曲する合成樹脂製の本体１と、該本体１の下部に一体的に設けた鍔部２と、該鍔部２の下側で前記本体１の下部に形成した環状３とからなる。【選択図】　　図１
0003098920.tif 000002
【実用新案登録請求の範囲】
【請求項１】
下部から上方に向けて漸次縮径となる先細状で且つ一定方向に緩やかに屈曲する合成樹脂製の本体１と、該本体１の下部に一体的に設けた鍔部２と、該鍔部２の下側で前記本体１の下部に形成した環状リブ３とからなる油類等の液体抽出用管。
【考案の詳細な説明】
【０００１】
【考案の属する技術分野】
本考案は、一定の容器内にある油類等の液体を脱漏せずに安全且つ確実に抽出し得る液体抽出用管に関するものである。
【０００２】
【従来の技術】
従来、石油等詰められた灯油は簡易給油ポンプ或いは漏斗等の用具によって抽出している。
【０００３】
【考案が解決しようとする課題】
缶に詰められた灯油を漏斗等を使って抽出する場合は作業中に脱漏する頻度が多く、周辺を汚したり火災予防の点からも好ましくない。
本考案は、給油ポンプよりも遥かに廉価に製造でき、しかも既存の一斗缶の缶口に簡便に装着できて灯油の脱漏がなく安全且つ確実に抽出し得る液体抽出用管の提供を目的としたものである。
【０００４】
【課題を解決するための手段】
本考案は、前記の目的を達成する手段として、下部から上方に向けて漸次縮径となる先細状で且つ一定方向に緩やかに屈曲する合成樹脂製の本体１と、該本体１の下部に一体的に設けた鍔部２と、該鍔部２の下側で前記本体１の下部に形
0003098920.tif 000003
【考案の実施の形態】
本考案の具体的な構成を図について説明すると、本体１は軟質合成樹脂製であって、下部から上方に向けて漸次縮径となる先細状で且つ一定方向に緩やかに屈曲した形状からなり、この本体１の下部に鍔部２が一体的に形成され、該鍔部２の下側で前記本体１の下部に環状リブ３が突設されており、これが使用すめ際には本体１の先端部を適当に切除することにより先端を開口させるようになる。
【０００６】
【考案の効果】
而して、本考案は、本体１の下部を既存の一斗缶の缶口に押し込むと、環状リブ３が缶口の内側折曲部４に係合すると共に鍔部２が缶口上縁部に密接し、したがって抽出の際に液体の流圧等で脱落することが全くなく、しかも缶口からの漏出も確実に阻止され、特に本体１は下部から上方に向けて漸次縮径となる先細状で一定方向に緩やかに屈曲した形状からなっているもので、液体の抽出に脱漏もなく所定の容器に簡便に抽出し得る利点を有するものである。
【図面の簡単な説明】
【図１】抽出管の全体を示す斜視図
【図２】取付状態における要部断面図
【図３】同上Ａ−Ａ線断面図
【符号の説明】
１　本体
２　鍔部
３　環状リブ
【図１】
0003098920.tif 000004
【図２】
0003098920.tif 000005
【図３】
0003098920.tif 000006
(57)【要約】【課題】股あき付きパンツの構造を提供する。【解決手段】その構造は股あき付きパンツに係り、性器に対応する位置へ開口部を設け、該開口部は若干の幅を設けることにより、パンツを着用したとき性器が露出するようにする。このような構造とすることにより、性行為時において、脱ぐ必要がないために昂ぶった気分を損なうことなく、また、気力の衰えた高齢者においても予め、脱ぐことなく性行為に臨むことができるために気力を削がれることがない。さらに、該パンツ開口縁部には、レースなどの装飾を施して、夫婦又は恋人同士などが使用するに美的或いは刺激的効果を得ることができる。【選択図】　　図２
0003098791.tif 000002
【実用新案登録請求の範囲】
【請求項１】
一種の股あき付きパンツの構造に係り、
パンツ本体は、腰周り部及び二つのレッグホールを具有すると共に、二つのレッグホール間に開口部を設け、
該開口部は性行為の動作の妨げにならない適正な面積に開口しており、穿いたときに該当部分を露出せしめることを特徴とする股あき付きパンツの構造。
【請求項２】
前記開口部の縁へレースなどの装飾を形成してなることを特徴とする請求項１記載の股あき付きパンツの構造。
【考案の詳細な説明】
【０００１】
【考案の属する技術分野】
本考案は、パンツの構造に係り、特に股あき付パンツに係る。
【０００２】
【従来の技術】
性行為前にお互いに喜びを分かち合い、更に気分をもりあげるため、性行為時を服を脱ぐことに時間を掛け、その結果、気力を削がれて性行為を短時間で終わらせることとなることは現代人の観念には合わず、また、年齢と共に肉体的に衰え、時間を掛けて服を全て脱いで裸になったために気分を維持できずに昂揚した気分が減少してしまうこともおきうる。
従来はパンツの両レッグホール間へ一筋の隙間を設ける、または隙間を紐で結ぶことにより、脱ぐことなく性行為を可能とするものなどがあるが、これらの構造上性行為時にスリット縁部や紐などとの摩擦などの問題を生じて不都合である。
【０００３】
【考案が解決しようとする課題】
上述のような公知のものにおける欠点として、パンツを脱がないで性行為に及ぶと摩擦などが起こり不都合である。
そこで、開口部が性行為の動作の妨げにならない適正な面積に開口していて性感を損うことがない下着の構造を提供する。
【０００４】
【課題を解決するための手段】
そこで、上記課題を解決するため、本考案は下記の性感を損なわない股あき付きパンツの構造を提供する。
それは、パンツ本体のレッグホール間へ若干の開口部を設け、性行為の動作の妨げにならない適正な面積に開口している股あき付き下着の構造を提供する。
【０００５】
【考案の実施の形態】
図１〜３に示すように、本考案はパンツ本体１０及び開口部２０に係り、
パンツ本体１０は公知の構造のパンツであり、その形状は各種異なるが、本案は図に示すこれらの公知の形状に限定されるものではない。パンツ本体１０は腰周り部１１及び両脚部がはいるレッグホール１２、１３、を具有し、レッグホール１２、１３間に開口部２０を設ける
【０００６】
開口部２０は若干の面積を具有していることにより、当該部分を露出させてそのままで性行為時の動作に支障や影響を与えず、また、開口部２０の縁２１を解れ止めに縫製しておくことにより、パンツ本体１０の縫製は容易に解けないようにする。
【０００７】
該縁２１へレースなどの装飾を設けることにより更に美観などの効果を得る目的を達成する。
また、本考案は男性、女性共に穿くことができる。
【０００８】
【考案の効果】
以上説明したように、本考案によると、単調な暮らし、性生活に変化をもたらし、幸せに満ち溢れた家庭へ変化させることができる。
【図面の簡単な説明】
【図１】本考案の立体指示図である。
【図２】本考案の実施例図である。（正面図）
【図３】本考案の実施例図である。（背面図）
【符号の説明】
１０　パンツ本体
１１　腰周り部
１２，１３　レッグホール
２０　開口部
２１　縁
【図１】
0003098791.tif 000003
【図２】
0003098791.tif 000004
【図３】
0003098791.tif 000005
(57)【要約】【課題】自転車の前照ライト用ダイナモに携帯電話用充電器を取り付け簡単・確実に充電でき電動力・エンジン・充電式電池・燃料電池を使用せず前照ライト用ダイナモから電力を得る。【解決手段】原動機の無い自転車の前照ライト用ダイナモ１に携帯電話充電器４に巻き取り収納されているコード２を取り付け自転車使用時に前照ライト用ダイナモ１の動力から発生した電気を携帯電話充電器４に送り整流変換した電気を携帯電話本体内部のバッテリーに充電する。【選択図】　　　　図１
0003098732.tif 000002
【実用新案登録請求の範囲】
【請求項１】
携帯電話（５）を充電する為の電源として自転車の前照ライト用ダイナモ（１）を駆動させ発生する電力を、コード（２）を使い専用充電器へ送り整流に変換し超過充電を防ぎほぼ一定の電力を野外でエンジンや電池を使用せず携帯電話（５）に充電出来ることを特徴とする携帯電話充電器（４）。
【請求項２】
充電器本体の盗難防止や使用時の劣化を低減させ利用者が充電器本体を携帯しやすいサイズにする為に前照ライト用ダイナモ（１）に取り付けるコード（２）を自転車に常設している部分と充電器本体に常設する部分とに容易にコード（２）の途中で分割・脱着出来ることを特徴とする請求項１記載の携帯電話充電器（４）。
【請求項３】
携帯電話充電器（４）使用後に取り外して持ち運び時にコンパクトになりコード（２）が不用意に露出せず巻き取りに関する危険を大幅に軽減する為に携帯電話充電器（４）本体内部に充電時や使用時のコード（２）の長さを調整出来るようにコード２巻取りスペースを設けることを特徴とする請求項１記載の携帯電話充電器（４）。
【考案の詳細な説明】
【０００１】
【考案の属する技術分野】
本考案は自転車使用時に用いる携帯電話充電器に関するものである。
【０００２】
【従来の技術】
従来、この種の携帯電話充電器としては図５に示すエンジン等の原動機などを使用し電源としたシガレットライター取り付け部に延長コードを用いた物や、家庭用コンセント差込口を利用し電源としていた物や、乾電池を使い充電器に充電する物が知られている（例えば登録実用新案第３０９０５９４号公報及び登録実用新案第３０８７５０９号公報及び登録実用新案第３０６７８３４号公報参照）。
【０００３】
【考案が解決しようとする課題】
しかしながら以上の従来技術によれば、９割が携帯電話所持者である学生や自動車運転免許非所持者には使用が難しく携帯電話の充電には必ず電動力のあるもの又は使い捨ての充電用電池パックを起動させなければならなかった。又、太陽電池を使用するには電池の大きさや日照等に左右され移動中の充電には不便な部分が多かった。そこで、この考案は電動力・エンジンなどの原動機要素や使用後廃棄処理に困る充電用電池パックなどを必要としない交通手段のもっともポピュラーな自転車を用い無電動・無エンジンから携帯電話の充電を可能にする為、自転車に付いている前照ライト用ダイナモを駆動させその電力を整流化でき充電器本体に使用コードの巻取りができ容易に持ち運びが可能な充電器を使用することにより自動車運転免許を所持していなくても移動中に乗り物により携帯電話の充電が容易に出来る充電器を提供することを課題とする。
【０００４】
【課題を解決するための手段】
以上の課題を解決するために請求項１の考案は自転車の前照ライト用ダイナモにダイナモの駆動により発生する電力を整流変換し超過充電を回避して充電出来る充電器を設けたことを特徴とする携帯電話充電器である。また、請求項２の考案は充電器本体の盗難防止や使用時の劣化を低減させ利用者が携帯しやすいサイズにする為ダイナモと充電器をつなぐコードを途中で分割できることを特徴とする携帯電話充電器である。また、請求項３の考案はコードが不用意に露出せず巻き取りに関する危険を大幅に軽減し充電器使用時、使用後のコードの長さを調整できる様にコード巻取りスペースを設けたことを特徴とする携帯電話充電器である。
【０００５】
【考案の実施の形態】
考案の実施の形態について図面を参照して説明する。
図１〜図３において、携帯電話充電器本体５は、例えばポリ塩化ビニール樹脂のようなプラスチックを用い、厚み７ｍｍ・６ｍｍ・７ｍｍ程度の３つの型抜き部品により２ｃｍ程度の肉厚を有する円盤状に形成されている。さらに詳しくは断面形状が円であって、両側部品１２・１４は外方に膨らむように湾曲させてあり中央部品１３を挿むように成型されている。
【０００６】
また、携帯電話充電器本体５に内蔵されている電力変換充電装置７は、一定に供給されない電流を整流変換し充電する為、直流電圧安定回路・電圧安定制御回路・充電制御回路・超過充電防止回路を備えている。さらに、携帯電話充電器本体５内部には充電時使用のコード２を巻き取り収納する為に、凹状に巻き取りスペースを設けている。
【０００７】
図２〜図４において、固定式コードジョイントパーツ１１はコードジョイントパーツ３と直接連結する接続金具を設けたポリ塩化ビニール樹脂のようなプラスチックで形成されており、自転車のハンドルに常設できるよう湾曲にくり抜いた形状になっている。さらに、コードジョイントパーツ３に取り付けれるようにハンドル取り付け上部に接続金具を備えている。
【０００８】
【考案の効果】
本考案は上述のとおり構成されているので次に記載する効果を奏する。
【０００９】
請求項１の携帯電話充電器においては自転車の前照ライト用ダイナモに携帯電話充電器を設けたので容易な交通手段で充電が出来また違和感なく自転車に乗れ外観的にも優れている。
【００１０】
請求項２の携帯電話充電器においては取り付けコードを分割可能にしたことにより盗難防止を確実にでき使用後、大変携帯が容易になる。
【００１１】
請求項３の携帯電話充電器においては充電器本体にコード巻取りスペースを設けてあるので使用時・使用後コードが不用意に露出せず巻き取りに関する危険性を大幅に削減できる。
【００１２】
また、消耗品ではないので電池を買い換えたり他からの電力供給を必要としない。
【図面の簡単な説明】
【図１】携帯電話充電装置を自転車に装着してなる状態を示す要部斜視図である。
【図２】この考案の一実施形態を示す正面図である。
【図３】この考案の一実施形態を示す断面図である。
【図４】固定式コードジョイントパーツの要部斜視図である。
【図５】従来の携帯電話充電装置に係る要部斜視図である。
【符号の説明】
１　前照ライト用ダイナモ
２　コード
３　コードジョイントパーツ
４　携帯電話充電器
５　携帯電話
６　携帯電話差込口
７　電力変換充電装置
８　車載用携帯電話充電器
９　電池使用式携帯電話充電器
１０　家庭用携帯電話充電器
１１　固定式コードジョイントパーツ
１２　本体上部部品
１３　本体中央部品
１４　本体下部部品
【図１】
0003098732.tif 000003
【図２】
0003098732.tif 000004
【図３】
0003098732.tif 000005
【図４】
0003098732.tif 000006
【図５】
0003098732.tif 000007
(57)【要約】【課題】自然環境に優しく、廃棄物の再利用となる道路法面保護用、歩道用、歩道縁石用として使用する敷設用ブロックを提供する。【解決手段】木粉をペレット状に固めたペレット体１を主体とし、強度調整用の砂利などの骨材２を適宜量混合して、更に必要に応じて適宜量のガラス粉末３を混合し、生分解性樹脂４でランダムに配置されたペレット体及び骨材を所定の形状に加圧固化し、着色を施してなる。【選択図】　図１
0003098737.tif 000002
【実用新案登録請求の範囲】
【請求項１】
木粉をペレット状に固めたペレット体を主体とし、強度調整用の砂利などの骨材を適宜量混合して、生分解性樹脂でランダムに配置されたペレット体及び骨材を所定の形状に加圧固化すると共に、着色を施してなることを特徴とする敷設用ブロック。
【請求項２】
適宜量のガラス粉末を混合してなる請求項１記載の敷設用ブロック。
【請求項３】
ペレットが直径３〜６ｍｍで、長さが８〜２０ｍｍである請求項１又は２記載の敷設用ブロック。
【考案の詳細な説明】
【０００１】
【産業上の利用分野】
本考案は、道路の法面保護や、歩道用ブロック、歩道縁石などに使用する敷設用ブロックに関するものである。
【０００２】
【従来技術及び考案が解決しようとする課題】
道路の法面の崩壊保護手段としては、コンクリートを打設して保護面としたり、緑化工事を施して植物による法面強化を行っている。
【０００３】
しかしコンクリート面による保護は、自然破壊につながると共に、工事コストが高いという問題があり、緑化工事は植物の育成に対応して草刈などの保守にコストを要するし、適切な保守がなされなく雑草が繁殖してしまうと地域住民から苦情が寄せられることになる。
【０００４】
また歩道用ブロックとしては、ゴムチップや籾殻など必要に応じ繊維などを混合して樹脂で固めたブロックが提案されている。これらは廃棄物の再使用を目的としているものであるが、ゴムチップを使用している場合には、経年変化によって樹脂バインダーが劣化するとゴムチップが散乱してしまう問題が生ずる。
【０００５】
また籾殻使用の場合には、籾殻自体の強度がないために、籾殻をブロックの主体とすることができず、廃棄物処理としては効率が悪い。
【０００６】
そこで本考案は、産業廃棄物の処理効果に優れ、且つ道路の法面保護や、歩道用ブロック及び歩道縁石に最適な敷設用ブロックを提案したものである。
【０００７】
【課題を解決する手段】
本考案に係る敷設用ブロックは、木粉をペレット状に固めたペレット体を主体とし、強度調整用の砂利などの骨材を適宜量混合して、生分解性樹脂でランダムに配置されたペレット体及び骨材を所定の形状に固化すると共に、着色を施してなることを特徴とするものである。
【０００８】
従って前記敷設用ブロックは、道路法面の保護用として法面に敷いたり、歩道用として敷設したりするもので、雑草の繁殖が防止されると共に、透水性を有しているので雨水がそのまま地下に浸透し、経年変化よって、ブロックの主体であるペレットは生分解によって土壌化する。
【０００９】
また本考案の敷設用ブロックは、更に適宜量のガラス粉末を混合してなるもので、歩道用や縁石に使用した場合には、夜間において光の反射によって当該ブロックが確認でき歩道の安全性を高める。
【００１０】
【実施例】
次に本考案の実施例について説明する。実施例に示したブロックは、ペレット体１と骨材２と、ガラス粉末３とを混合して、樹脂バインダー４と一緒に、所定の型５にランダムに収め加圧固化したものである。
【００１１】
ペレット体１は、廃棄木材を粉砕して木粉としたものを、生分解樹脂で固めてペレット（直径３〜６ｍｍで、長さが８〜２０ｍｍ）としたものである。
【００１２】
骨材２は小石や砂利で、使用量は当該ブロックの使用場所を考慮し、ブロックの耐圧強度に応じて混在量を定める。ペレット体１と骨材２の混合比率は、ペレット体１に対して骨材２が１１〜１４％程度（平均１２％）を混合するものである。
【００１３】
ガラス粉末は、使用目的に対応して混合の有無又は混合量を定めるものである。
【００１４】
そして前記のとおりペレット体１と、骨材２と、必要に応じてガラス粉末３とを混合して、樹脂バインダー４と一緒に、所定の型５に収め、加圧固化し、使用目的に応じて所望の大きさに切断して使用に供するものである。
【００１５】
また色彩については、ペレット体自体に着色を施しても良いし、加圧固化する際に樹脂バインダー４に着色剤を加えても良いし、固化後に塗料の吹き付けを行って着色しても良い。
【００１６】
所定の大きさに切断されたブロックＡは、所定の強度と透水性を備え、ガラス粉末入りの場合には夜間の光反射機能を備えているもので、道路法面崩落防止用のブロックとして使用した場合には、雑草の繁殖を防止すると共に、雨水の地下浸透によって法面表面の土壌の流出が防止され、経年変化によってブロック体は腐朽し、土壌に帰ることになり、廃棄物の自然回帰がなされ環境に優しい法面保護手段を提供できることになる。
【００１７】
また歩道ブロックや歩道縁石に使用した場合には、表面の凹凸によって滑り難く、展示ブロックの代用になると共に、足当たりが柔らかく歩行に適するブロックであり、またガラス粉末の混入によって夜間の光の反射で歩道の範囲が視認でき夜間歩行の安全性を高めるものである。
【００１８】
【考案の効果】
以上のように本考案は、木粉をペレット状に固めたペレット体を主体とし、強度調整用の砂利などの骨材を適宜量混合して、生分解性樹脂でランダムに配置されたペレット体及び骨材を所定の形状に固化すると共に、着色を施してなる敷設用ブロックで、道路法面の保護用や歩道用として最適であり、而かも小規模の現場施行も容易に実施できる利便性があり、また適宜量のガラス粉末を混合することで、歩道用ブロックとして夜間歩行の安全性を高めるものである。
【図面の簡単な説明】
【図１】本考案の実施例ブロックの製造説明図。
【図２】同実施例ブロックの全体図。
【符号の説明】
１　　　　ペレット体
２　　　　骨材
３　　　　ガラス粉末
４　　　　樹脂バインダー
５　　　　型
【図１】
0003098737.tif 000003
【図２】
0003098737.tif 000004
(57)【要約】【課題】収納物の取り出しが容易で、かつ、収納物の崩落を防止すること。【解決手段】左右一対の側板部４，５の手前側高さを前板部３の中間高さ位置程度に低くすると共に奥側高さを前板部３と同程度に高くし、かつ、奥板部６の高さを前記側板部４，５の奥側高さに合わせた。引出し１の手前側では、側板部４，５を低く形成しているので、収納物の出し入れや確認が容易で、引出し１の奥側では、側板部４，５の奥側及び奥板部６を前板部３と同程度に高く形成してあるから、側板部４，５の手前側よりも高く積上げた収納物が引出し１の外部へ崩れ落ちることはない。【選択図】　図１
0003098740.tif 000002
【実用新案登録請求の範囲】
【請求項１】
底板部、左右一対の側板部、前板部および奥板部で構成される箱状の引出しにおいて、前記側板部の手前側高さを前板部の中間高さ位置程度に低くすると共に奥側高さを前板部と同程度に高くし、かつ、奥板部の高さを前記側板部の奥側高さに合わせたことを特徴とする引出し。
【考案の詳細な説明】
【０００１】
【考案の属する技術分野】
本考案は、机、箪笥、キャビネットなどに使用される引出しに関するものである。
【０００２】
【従来の技術】
従来の引出し１１として、例えば図３の如く、底板部１２、前板部１３、左右一対の側板部１４（図３では、便宜上、片方の側板部１４のみを示す。）及び奥板部１６で深底箱状に形成すると共に、袖机１７の下段に配設したものがある。この種の引出し１１は、左右一対の側板部１４及び奥板部１６を前板部１３の中間高さ位置程度に低く形成してある。
【０００３】
【考案が解決しようとする課題】
従来の引出し１１は、左右一対の側板部１４及び奥板部１６が低く、収納物（図示略）の出し入れや確認が容易な構造になっている。しかし、このような構造では、収納物を左右一対の側板部１４及び奥板部１６より高く積上げてあっても、引出し１１を袖机１７に格納することは可能であるから、引出し１１を出し入れするときなどに、高く積上げた収納物が引出し１１の外部へ崩れ落ちるという問題がある。特に、収納物が引出し１１の奥板部１６から袖机１７の奥へ崩れ落ちた場合には、当該収納物を発見することが困難で、ユーザーに収納物を紛失したと錯誤させるおそれがある。
【０００４】
本考案はかかる課題に鑑み創案するに至ったものであって、その目的は、収納物の出し入れや確認が容易で、かつ、収納物の崩落を防止できる引出しを提供することにある。
【０００５】
【課題を解決するための手段】
本考案の引出しは、底板部、左右一対の側板部、前板部および奥板部で構成される箱状の引出しにおいて、前記側板部の手前側高さを前板部の中間高さ位置程度に低くすると共に奥側高さを前板部と同程度に高くし、かつ、奥板部の高さを前記側板部の奥側高さに合わせたものである。
【０００６】
本考案の上記構成によれば、収納物の出し入れが頻繁に行なわれる引出しの手前側では、左右一対の側板部を低く形成してあるから、収納物の出し入れや確認が容易である。また、収納物の出し入れの頻度が少ない引出しの奥側では、左右一対の側板部の奥側及び奥板部を前板部と同程度に高く形成してあるから、左右一対の側板部の手前側よりも高く積上げた収納物が引出しの外部へ崩れ落ちることはない。
【０００７】
【考案の実施の形態】
以下、図面を参照しつつ本考案の実施形態について説明する。
【０００８】
本考案の引出し１は、図１の如く、底板部２の周縁部から前板部３、左右一対の側板部４，５及び奥板部６を立設した深底箱状のものであって、袖机７の下段に設けてある。底板部２の底面の手前側中央部には、引出し１を袖机７から引き出した際に引出し１の手前側が下方へ落ち込むのを防止するためのキャスター８を取り付けてある。前板部３は、袖机７の開口部７ａを閉塞する如く形成してある。左右一対の側板部４，５は、手前側高さを前板部３の中間高さ位置程度に低く形成すると共に奥側高さを前板部３と同程度に高く形成してある。左右一対の側板部４，５の外面下部には、引出し摺動用のガイド条９（便宜上、片方の側板部４に設けたもののみを図示する。）を突出形成してある。奥板部６は、左右一対の側板部４，５の奥側と同じ高さに形成してある。
【０００９】
本考案の引出し１は、上記の如く構成され、引出し１の手前側では、左右一対の側板部４，５を低く形成しているので、収納物の出し入れや確認が容易である。また、収納物の出し入れの頻度が少ない引出し１の奥側では、左右一対の側板部４，５及び奥板部６を前板部３と同程度に高く形成してあるから、左右一対の側板部４，５の手前側高さよりも高く積上げた収納物が引出し１の外部へ崩れ落ちることはない。より詳しくは、引出し１内の収納物が、引出し１を袖机７に格納可能な量であれば、側板部４，５の奥側及び奥板部６の高さよりも高く積重なることはないから、引出し１の外部へ崩れることはない。
【００１０】
以上、本考案の実施形態につき説明したが、本考案は上記実施形態に限定されることなく種々の変形が可能であって、例えば上記実施形態では、側板部４，５の中間部を手前側から奥側に向かって徐々に高く形成してあるが、側板部４，５を前端から後端へ向かって徐々に高く形成したり、或いは階段状に形成しても構わない。また、上記実施形態では、袖机７の下段に設けた深底の引出し１を挙げて説明したが、本考案は、袖机７に限らず、種々の収納家具の引出しに適用可能で、上段や中段の引出しにも適用可能である。
【００１１】
【考案の効果】
本考案は前述の如く、収納物を取り出すことが容易で、かつ、収納物の崩落を防止することができる。
【図面の簡単な説明】
【図１】本考案の引出し及び該引出しを使用した袖机の斜視図である。
【図２】本考案の引出し及び該引出しを使用した袖机の透視側面図である。
【図３】従来の引出し及び該引出しを使用した袖机の斜視図である。
【符号の説明】
１　　　　　引出し
２　　　　　底板部
３　　　　　前板部
４，５　側板部
６　　　　　奥板部
７　　　　　袖机
７ａ　　　開口部
８　　　　　キャスター
９　　　　　ガイド条
【図１】
0003098740.tif 000003
【図２】
0003098740.tif 000004
【図３】
0003098740.tif 000005
(57)【要約】【課題】本考案のパークゴルフボール捕捉具は、パークゴルフステック自体に装着可能とし、軽量化の実現でプレーの妨げとなる用具として持ち歩くことから解放し、パークゴルフ愛好家の腰を屈めてグリーン上又はカップ内のボールを拾うことの苦痛を無くし、冬季間の雪上、氷上の冷たいボールをつかみ拾うことの苦痛を解放し、ボールを拾い上げる時、腰を曲げて屈むため足のつま先に体重がかかり、その部分の芝生を痛める事も少なく芝生のメンテナンス管理を容易にし、体に優しく、環境保護にも貢献する器具である。【解決手段】外側に、ボールの曲率に合致するように内側に湾曲する周縁を形成し、ボールを挟持できるように、付け根から先方に向けて末広がりの線状の連続する爪を二股にして二個所に設けるキャップを、パークゴルフステックのグリップ先端部に挿入して成るパークゴルフのボール捕捉具として課題を解決するものである。【選択図】　　　図１
0003098734.tif 000002
【実用新案登録請求の範囲】
【請求項１】
外側に、ボールの曲率に合致するように内側に湾曲する周縁を形成し、ボールを挟持できるように、付け根から先方に向けて末広がりの線状の連続する爪を二股にして二個所に設けるキャップを、パークゴルフステックのグリップ先端部に挿入して成るパークゴルフのボール捕捉具。
【考案の詳細な説明】
【０００１】
【考案の属する技術分野】
本考案は、グリーン上又はカップの中のパークゴルフボールを拾う事を容易にする捕捉具に関するものである。
【０００２】
【従来の技術】
今までパークゴルフボールを拾うことができる器具は多少前かがみの状態でボールを捕球し、用具として持ち歩かなければならず、そのため、できるだけプレー中には持ち歩くものを少なくしたい愛好家達はプレーの妨げになるということで、ほとんどの愛好家には不人気の用具であった。そのため愛好家達はグリーン上又はカップの中のボールを拾う毎に腰を屈めて前かがみの状態になる。そのため腰の弱い人又は高齢者、車椅子利用者と高血圧等の人は腰を曲げる苦労があった。
【０００３】
【考案が解決しようとする課題】
腰の弱い人又は高齢者、車椅子利用者と高血圧等の人がグリーン上又はカップの中のボールを拾い上げるのに苦労している。健常者の人でも疲れが出て来たりすると、ボールを拾い上げる時、体の姿勢を崩したり足がつるということがある。また、腰を曲げて屈むため足のつま先に体重がかかりその部分の芝生が傷つきつぶれてしまうので芝生のメンテナンスが必要となる。また、冬季間の雪上、氷上でのプレーは寒さとの戦いになるが、雪上又は氷上の氷のように冷えているボールを素手で握り、拾うことは大変な苦痛であり、体の堅くなっている冬季間腰を曲げることも苦痛である。また、用具としてなるべく持ち歩きたくない愛好家にはパークゴルフステックグリップに装着した状態でも重量感を感じることのないように軽量化を実現し、装着状態でもプレーを可能となるものが望まれている。
【０００４】
【課題を解決するための手段】
外側に、ボールの曲率に合致するように内側に湾曲する周縁を形成し、ボールを挟持できるように、付け根から先方に向けて末広がりの線状の連続する爪を二股にして二個所に設けるキャップを、パークゴルフステックのグリップ先端部に挿入して成るパークゴルフのボール捕捉具として課題を解決するものである。
【０００５】
【考案の実施の形態】
本考案の実施の形態について、図面に示す実施例にしたがって説明する。
図１、図２、図３において、パークゴルフステックのグリップ１の先端にキャップ４を被せるものであり、キャップ４には付け根から先方に向けて末広がりの線状の連続する爪２を二股にして二個所に設けてあり、使用するときはボール捕捉具を取り付けたパークゴルフステックを逆さまにし、ボール３を打つ打球部分、ヘッドをもってボール捕捉具をボール３に押し付けるようにすると、爪２のもつ微妙な角度と弾力性でボールの曲率三分の一の位置から爪２が開き始め、ボール３の曲率二分の一の位置にくるとしっかりとボールを捕捉し、グリーン上又はカップ内のボール３を拾うことができる。ボール捕捉具のキャップ４は軟質のゴムを使用しているので、パークゴルフステックグリップ１の形状、大きさが変わってもボール捕捉具の取り付けには支障はない。本考案は爪２部分を四本の爪として使用せず、ボールの曲率に合致するように内側に湾曲する周縁を形成し、ボールを挟持できるように付け根から先方に向けて末広がりの線状の連続する爪２を二股にして二個所に設ける。爪２のもつ微妙な湾曲する周縁と末広がりの線状の部分に微妙な湾曲をもたせることからしっかりとボール３を挟持し、ボール３を取り外す場合も力を要せずに外すことができ、パークゴルフ愛好家個々人のプレー技術を考慮しつつ取り外し可能としたものである。キャップ４に爪２は上下の座金５、６を介してボルト７及びナット８によって固定されているが、ボルト７、及びナット８以外の固定方法として接着剤による固定、又はリベットによる機械的固定方法もある。
【０００６】
【考案の効果】
本考案のパークゴルフボール捕捉具はパークゴルフステック自体に装着可能とし、プレーの妨げとなる用具として持ち歩くことから解放した。ボール捕捉具を装着した状態のプレーが可能なため、今までのようにポケットに他の用品をいっぱい入れプレーに支障がでることもなく、手軽で非常に便利である。グリーンの芝生を痛める事も少なく、芝生のメンテナンス管理が容易になる。また疲れが出てきた時や高齢者、車椅子利用者の腰を曲げるのが容易でないパークゴルフ愛好家にはこれがないとプレーができないと言われそうなボール捕捉具である。また、冬季間の雪上、氷上の氷に近い位の冷たいボールを素手で拾うことは非常に苦痛であり、冬季間の寒さによって体も堅くなっている状態で腰を曲げることも非常に苦痛である。体に優しく、環境保護にも貢献し、しかも夏、冬通して利用できるメリットの多い器具である。
【図面の簡単な説明】
【図１】ボール捕捉具の正面断面図である。
【図２】ボール捕捉具の右側面断面図である。
【図３】ボール捕捉具の平面図である。
【符号の説明】
１、パークゴルフステックグリップ
２、爪
３、パークゴルフボール
４、ボール捕捉具のキャップ部分
５、上座金
６、下座金
７、ボルト
８、ナット
【図１】
0003098734.tif 000003
【図２】
0003098734.tif 000004
【図３】
0003098734.tif 000005
(57)【要約】　　　（修正有）【課題】操作が簡単で、専用機械を必要とせず、コスト的にも有利な自動車盗難防止用ガラスエッチングキット及び該キットを用いて刻印した自動車の窓ガラスを提供する。【解決手段】パーソナルコンピューターにより制御されるカッティングプロッタとマスキング用シートと好ましくはガラスエッチング剤よりなる自動車盗難防止用ガラスエッチングキット、及び該キットを用いて文字又はマークがエッチングされた自動車の窓ガラス。エッチングする部分２３が除かれたマスキングシートを自動車の窓ガラスに貼り付け、２３部分にガラスエッチング剤を塗布する。エッチングが十分に行われたらエッチング剤を抜き取る。この方法により、自動車の窓ガラスに車体番号、ナンバープレート、氏名等を簡単に刻印をすることができ、盗難防止効果が大きい。【選択図】　　図５
0003098735.tif 000002
【実用新案登録請求の範囲】
【請求項１】
パーソナルコンピューターにより制御されるカッティングプロッタと、マスキング用シートよりなる自動車盗難防止用ガラスエッチングキット。
【請求項２】
パーソナルコンピューターにより制御されるカッティングプロッタと、マスキング用シートとガラスエッチング剤よりなる自動車盗難防止用ガラスエッチングキット。
【請求項３】
請求項１又は２のキットを用いて文字又はマークがエッチングされた自動車の窓ガラス。
【考案の詳細な説明】
【０００１】
【考案の属する技術分野】
本考案は、自動車の盗難を防止するために窓ガラスに名前や番号を刻印するためのガラスエッチングキットおよび該エッチングキットを用いて刻印された自動車のガラスに関する。
【０００２】
【従来の技術】
近年、自動車の盗難件数は急速に増加しており、盗難防止のための有効かつ低コストな対策が望まれている。盗難車は車体番号、ナンバープレート、車検証が偽造されて売られるのが通常である。近年、車の窓ガラスに車体番号や所有者名を刻印し、盗難を防止するシステムが開発されている。窓ガラスに刻印すると、窃盗犯は、窓ガラスを全部取り替えなければならならず、業者に怪しまれる上、コスト的にも損で、盗難防止効果が大きい。
自動車窓ガラスにエッチングする技術としては、サンドブラストを利用した技術がある。しかしながら、この技術は刻印した文字や図形のクォリティが低く、かつ高価な専用マシンを必要とし、コスト的にも不利である。
【０００３】
【考案が解決しようとする課題】
本考案の目的は、操作が簡単で、専用機械を必要とせず、コスト的にも有利な自動車盗難防止用ガラスエッチングキット及び該キットを用いて刻印した自動車の窓ガラスを提供することである。
【０００４】
【課題を解決するための手段】
上記の目的は、パーソナルコンピューターにより制御されるカッティングプロッタとマスキング用シートと好ましくはガラスエッチング剤よりなる自動車盗難防止用ガラスエッチングキット、及び該キットを用いて文字又はマークがエッチングされた自動車の窓ガラス、により達成される。
【０００５】
【考案の実施の形態】
以下、図面により本考案を説明する。
図１は本考案のキットを構成するカッティングプロッタ、図２はマスキング用シートを表した図、図３はマスキング用シートの断面図である。カッティングプロッタ１は図示されていないパーソナルコンピュータ（パソコン）により制御される。即ち、パソコンにインストールされたソフトにより、カッター１１とマスキング用シート２が連動して、マスキング用シート２に所望の図形に切込みを入れる。マスキング用シート２はカッティングシートともよばれ、図３に示すように、剥離紙３２にマスキングシート３１が積層されており、切込み２１はマスキングシート３１のみになされる。マスキングシート３１の剥離紙３２との接着面にはガラスに粘着させるための粘着剤層が形成されている。
【０００６】
切込み２１を入れたマスキングシート３１は剥離紙３２から剥され、刻印をするガラスに貼り付けられるが、通常は図４に示すように、剥離する前にマスキング用シート上面に透明なシート（以下、アプリケーションシート）４を貼り付ける。これは、例えば、「Ａ」、「Ｐ」、「Ｏ」という文字のように図形中に島状に独立した部分２２がある場合、この島状部分が抜け落ちないようにするためである。また、島状部分のない場合でも、アプリケーションシートを貼り付けると文字や図形の形状を崩さずに正確にガラスに転写することができる。
【０００７】
アプリケーションシートを貼り付けた後、剥離紙３２を剥離して、図５に示すようにエッチングする部分２３が除かれたマスキングシートを得る。これを図６に示すように自動車の窓ガラス６に貼り付け、アプリケーションシートを剥離する。これにより、自動車の窓ガラスにマスキングシート３１によりマスキングがなされたことになる。
【０００８】
次に、マスキングされていない部分２３に、クリーム上のガラスエッチング剤６１を刷毛６２等を用いて塗布する。ガラスエッチング剤は、中性または弱酸性のものが好ましい。エッチングが十分に行われたら、エッチング剤を拭き取る。エッチングに要する時間はエッチング剤によるが通常２〜５分である。エッチングが終了したら、エッチング剤を拭き取り、マスキングシートを剤を剥した後、水洗等によりエッチング剤を完全に除去する。
【０００９】
【考案の効果】
本考案のガラスエッチングキットを使用すると、自動車の窓ガラスに車体番号、ナンバープレート、氏名等を簡単に刻印をすることができる。また、刻印の仕上がりは、マスキングシートを用いるのできわめて美的である。本考案のキットを用いて刻印した窓ガラスを具備した車は盗難防止効果が大きい。
【図面の簡単な説明】
【図１】本考案のキットを構成するカッティングプロッタを表した図である。
【図２】本考案のキットを構成するマスキング用シートを表した図である。
【図３】マスキング用シートの断面図である。
【図４】マスキング用シートにアプリケーションシートを貼り付ける状態を表した図である。
【図５】エッチングする部分２３が除かれたマスキングシートを表した図である。
【図６】マスキングシートを貼り付けた窓ガラスにエッチング剤を塗布する状態を表した図である。
【符号の説明】
１　　カッティングプロッタ
２　　マスキング用シート
４　　アプリケーションシート
６　　ガラス
２１　切り込み
２２　島状部分
６１　エッチング剤
６２　刷毛
【図１】
0003098735.tif 000003
【図２】
0003098735.tif 000004
【図３】
0003098735.tif 000005
【図４】
0003098735.tif 000006
【図５】
0003098735.tif 000007
【図６】
0003098735.tif 000008
(57)【要約】【課題】犬の糞を地面に落ちる寸前にビニール袋に取ることが出来、更にワイヤーの枠や手を汚すことなく、ビニールごと処理出来る犬の携帯糞採取器を提供する。【解決手段】犬の糞を地面に落ちる寸前にビニール袋に取るために、先端が二股になった空洞の取手にワイヤーを根元から二股の先端を円形に一周させて通した工具に、ビニール袋を被せ、上の端を一箇所クリップで固定させ使用、糞を取った後ワイヤーの枠を４の引手を引いて３分の１程度に縮める、すると糞の重みで落下しようとする力が働き、ビニール袋が裏返しになる、しかしビニール袋はクリップで落下せずクリップにぶら下がる。その後ビニール袋を持ち帰り処分する。【選択図】図１
0003098773.tif 000002
【実用新案登録請求の範囲】
【請求項１】
犬の糞を地面に落ちる前に取るために、先端が二股になった空洞の取手に、ワイヤーを取手の根元から二股になった先を円形に一周させるように通した工具で、その取手の二股になっている要にクリップを取付けており、ワイヤーにビニール袋をかぶせた後、その上の端をクリップで一箇所を止め、かつ弛みを有するように装着して使用することを特徴とする犬の携帯糞採取器。
【考案の詳細な説明】
【０００１】
【考案が属する技術分野】
この考案は、犬の散歩中の糞を処理するための犬の携帯糞採取器に関するものである。
【０００２】
【従来の技術】
従来は、犬の散歩中に犬が糞をした時飼い主は、シャベルや摘み具などの糞処理具でその糞を拾い、これをビニール袋などに入れて処理していた。従来の携帯糞処理器として、例えば実登第３０２８３５６号公報が挙げられる。この考案は固定された枠にビニール袋を半分程度通し、残りの半分を枠の外側に折り曲げ、ビニール袋の上の端をクリップで留めて使用するとのことですが、犬が糞をした後処理するために、外側に折り曲げたビニールの端を手で押し上げなくてはならないが、枠が固定されているため押し上げて裏返しにくい点が課題です。
【０００３】
【考案が解決しようとする課題】
犬の糞を地面に落ちた後取る方式では、どうしても完全に落ちた糞を取ることが出来ないし、固定した丸い枠に取手を付けて、その枠にピニール袋を装着して取る方式でも、装着に時間が掛かり、また糞を取る時その枠に糞が付いてしまう可能性があり不衛生である。
【０００４】
【課題を解決するための手段】
上記課題を解決するため、本考案の携帯糞採取器は請求項１記載のように、犬の糞を地面に落ちる前に取る方式で、この採取器は、先端が二股になった空洞の取手に、ワイヤーを取手の根元から二股になった先を円形に一周させるように通したもので、その取手の二股になっている要にクリップを取付けた構成になっている。この採取器のワイヤーからビニール袋をかぶせた後、その上の端をクリップで一箇所を留め、かつ弛みを有するように装着して使用することで、枠に糞が付くこともなく衛生的に処理でき、かつ装着も早く出来ることが特徴となっている。
【０００５】
【考案の実施の形態】
以下、本考案の実施の形態について説明する。使用時は、ビニール袋を１のワイヤーにかぶせ３のクリップでビニール袋の上の端を止める。そしてビニール袋の上を少し押さえて窪みの出来た状態で犬の糞を地面に落ちる寸前に受け取る。そして糞を処理するため４のワイヤーの引手を引いて、１のワイヤーを３分の１程度に縮める。するとビニール袋の上側と下側にすき間が出来、本体をちょっと揺すっただけで糞自体の重さで落下しょうとする力が加わり、ビニール袋がワイヤーの縁をすり抜けて裏返えしとなる。しかし３のクリップで留めてあるため、糞の入ったビニール袋は落下せず、３のクリップによりぶら下がる事となる。その後ビニール袋をクリップから外して、袋ごと持ち帰り処分する。
【０００６】
【考案の効果】
犬の糞を落ちる寸前に受け取る事で地面を汚すこともなく、また　ビニール袋に受け取り裏返るため、本体の枠や手にも付くことはなく衛生的である。ビニール袋の装着も枠にかぶせ上の端をクリップで留めるだけのため素早く出来、また　スーパーマーケット等で使用されているビニール袋も使用可能である。
【図面の簡単な説明】
【図１】犬の携帯糞採取器である。
【図２】犬の携帯糞採取器を使用して糞を取った時の説明図である。
【符号の説明】
１　ワイヤーで出来いる枠
２　プラスチック製の取手
３　ビニール袋の上の端を止めるクリップ
４　先端のワイヤーの輪からつながっている引手
【図１】
0003098773.tif 000003
【図２】
0003098773.tif 000004
(57)【要約】【課題】軽量で、巻くことができ、スチール黒板に貼り付き、マーカーによる書き消しができるシート型教具を安価に提供する。【解決手段】シート部材１は、柔軟な、紙、または合成紙、または布製のベース１ａとベース１ａの表裏のうち少なくとも表面にマーカーによる書き消しができるようにする為に施した表面が滑沢な合成樹脂層１ｂより構成され、シート部材１の表裏面のうち少なくとも片面に部分的に複数の磁石片２を取り付けたことを特徴とする。【選択図】図１
0003098756.tif 000002
【実用新案登録請求の範囲】
【請求項１】
巻くことができる柔軟な材質で形成されたシートの表裏面のうち少なくとも表面にマーカーで書き消しを自在とするための合成樹脂層と、該シートの表裏面のうち少なくとも片面に部分的に複数の磁石片を取り付け、鉄部への貼り付け手段を備えたことを特徴とするシート型教具
【考案の詳細な説明】
【０００１】
【考案が属する技術分野】
本考案は、スチール黒板等の鉄部に吸着させることができ、マーカーで書き消し自在なホワイトボードタイプのシート型教具に関する。
【０００２】
【従来の技術】
従来、鉄部に貼り付け可能なホワイトボードタイプのシート型教具では、裏面全面を柔軟なゴム磁石としたものが知られている。
【０００３】
【考案が解決しようとする課題】
前述のように裏面全面を柔軟なゴム磁石とした従来のホワイトボードタイプのシート型教具では、製造に手間がかかり、価格が高く、重量が重く取り扱いが面倒であった。
【０００４】
本考案は、上記従来の問題を解決するものであって、軽量で、巻くことができ、スチール黒板に貼り付き、マーカーによる書き消しができるシート型教具を安価に提供することを目的とする。
【０００５】
【課題を解決するための手段】
本考案の請求項１記載のシート型教具は、図１から図３が示すようにシート部材１と、シート部材１の表裏のうち少なくとも片面に部分的に複数の磁石片２を取り付け、また、シート部材１は、巻くことができる柔軟な、紙、または合成紙、または布製のベース１ａにマーカーによる書き消しができるようにする為に表裏のうち少なくとも表面に表面が滑沢な合成樹脂層１ｂを設けたことを特徴とする。
【０００６】
【考案実施の形態】
以下、本考案の実施の形態を図面を参照しつつ説明する。図１〜図３は、本考案のシート型教具の１実施形態を示し、図１は斜視図、図２は裏面図、図３は断面図となる。
【０００７】
ベース１ａを紙材とし、予め罫線、文字、図版等の印刷情報３を印刷しておく。この印刷情報は、消去不可となる。その表面に表面が滑沢な合成樹脂層１ｂを形成する為、ポリプロピレン樹脂製の透明ラミネートフィルムを接着し貼り付ける。該ラミネートフィルムを貼ることにより、マーカーのインクが紙に浸透しなくなり、布等で軽く拭えばインクが拭き取れるものとなる。また、合成樹脂層１ｂをベース１ａの表裏両面に形成し、表裏両面、マーカーによる書き消しが可能なものとしてもよい。シート１の形態を方形に整える為に４方を断裁加工しておく。また、型抜きをすれば任意の形状とすることも可能である。
【０００８】
この実施例では、磁石片２は、ゴム材に磁石粉を練り込み成型した柔軟なシート状の磁石を帯状に断裁したものとし、これを方形のシート１の裏面の対向する２辺に沿うよう、各辺に１本づつ接着している。または、シート１の周辺部の数ヶ所に磁石片を貼り付けても良い。また、シート状磁石の代わりにフェライト磁石を数ヶ所に貼り付けても良い。
【０００９】
【考案の効果】
以上の説明から明らかなように、本考案のシート型教具によれば、マーカーによる自在な書き消しができ、スチール黒板等の鉄部に簡単に貼り付け掲示が可能、
また巻いて収納が可能であり使いやすく非常に軽量で安価な教具とできる。
【図面の簡単な説明】
【図１】本考案のシート型教具の実施例を示す斜視図である。
【図２】本考案のシート型教具の実施例を示す裏面図である。
【図３】本考案のシート型教具の実施例を示す断面図である。
【符号の説明】
１…シート部材
１ａ…ベース
１ｂ…合成樹脂層
２…磁石片
３…印刷情報
【図１】
0003098756.tif 000003
【図２】
0003098756.tif 000004
【図３】
0003098756.tif 000005